(57)【要約】【課題】写真やＣＤ・ＤＶＤなどをアルバムから自在に取り外し、持ち運びや鑑賞、編集作業を簡便にする。【解決手段】写真やＣＤ・ＤＶＤを収納するシートケース（１）の側縁部に磁石（３）を付設し、この磁石の部分を、ボックス状アルバム台紙（２）の凹部（２ａ）に適宜配設している金属部（４）に、磁力を利用して、固着するという構成にすることにより、写真やＣＤ・ＤＶＤなどの形態や、向きを選ばずアルバムに収納でき、また、必要とするCD・DVD・写真等を、アルバムから着脱自在に取り出すことができる。【選択図】図１
2005297542.tif 000002
【特許請求の範囲】
【請求項１】
ＣＤ・ＤＶＤ・写真等を入れるシートケース（１）を収納する凹部が形成されたボックス状のアルバム台紙（２）を綴じるＣＤ・ＤＶＤアルバムにおいて、前記台紙の底部には適宜位置に金属部（４）が配設されるとともに、前記シートケース（１）の側縁には、磁石（３）が付設され、前記シートケース（１）を磁力により前記アルバム台紙（２）に配設した金属部（４）に固定することにより、CD・DVD・写真等が入ったシートケース（１）を着脱自在に取り外すことができるCD・DVD・写真等を収納するアルバム。
【請求項２】
ボックス状のアルバム台紙（２）の底部に配設された金属部（４）は、前記底部の周縁部および／または中心部を十字にめぐらせて配設されていることを特徴とする請求項１に記載のＣＤ・ＤＶＤ・写真等を収納するアルバム。
【請求項３】
ボックス状のアルバム台紙（２）の底部に配設された金属部（４）とシートケース（１）の側縁に付設された磁石（３）の断面形状を凸状となし、これら金属部（４）と磁石とが相互にずれないように固定されてなる請求項１乃至請求項２のいずれかに記載のＣＤ・ＤＶＤ・写真等を収納するアルバム。
【請求項４】
ボックス状のアルバム台紙（２）をめくった際に、シートケース（１）が前記アルバム台紙（２）の底部に配設された金属部（４）から外れないように、ボックス状アルバム台紙（２）を覆材（６）で覆ったことを特徴とする請求項１乃至請求項３のいずれかに記載のＣＤ・ＤＶＤ等を収納するアルバム。
【発明の詳細な説明】
【技術分野】
【０００１】
この発明は、ＣＤ・ＤＶＤ・写真等をアルバムに整理収納する手段に関する。
【背景技術】
【０００２】
従来のアルバムやアルバム式のＣＤファイルケースは、アルバム台紙に写真やCD・DVDなどを収納し、冊子状に綴じているために、      
一度に多くの人間が写真を鑑賞する際や、順序を入れ替えるなどの編集の際、また、持ち運びの際など、所望の写真やCD・DVDを取り出すか、冊子ごと利用する必要があり、不便である。また、写真やCD・DVDなどの大きさの違うものに対応した収納ができない。
【発明の開示】
【発明が解決しようとする課題】
【０００３】
本発明は、従来上記のような問題点を解消した整理収納ができるCD・DVD・写真等を収納するアルバムを提供することを課題とする。
【課題を解決するための手段】
【０００４】
上記課題を解決するために、請求項１の発明は、凹部の形成されたボックス状アルバム台紙に金属部を配設し、CD・DVD・写真等を入れるシートケースには磁石を付設して、磁力によってシートケースをボックス状アルバム台紙に綴じる構成としていることを特徴としている。
【０００５】
上記課題を解決するために、請求項２の発明は、ボックス状アルバム台紙の底部において、金属部をボックス状アルバムの周縁部および／または中心部を十字にめぐらせることにより、磁石を付設しているCD・DVD・写真等を収納するシートケースを、磁力によりボックス状アルバム内に収納することを特徴としている。
【０００６】
上記課題を解決するために、請求項３の発明は、ボックス状アルバム台紙の底部の金属部と、該金属部に磁力により固定するように磁石を付設したシートケースの側縁とに、適宜凸部の形状を形成することを特徴としている。
【０００７】
上記課題を解決するために、請求項４の発明は、ボックス状アルバム台紙を、覆材で覆うことを特徴としている。
【発明の効果】
【０００８】
請求項１の発明は、凹部の形成されたボックス状アルバム台紙に金属部を配設し、CD・DVD・写真等を入れるシートケースには磁石を付設して、磁力によってシートケースをボックス状アルバム台紙に綴じる構成としたことで、アルバム台紙に穴を設けて、その穴に棒状などの物体を通して綴じるという収納形態よりも、シートケースに収納しているCD・DVD・写真等の中から、必要なシートケースだけを自在に取り出すことで、鑑賞、または順序を入れ替えるなどの編集作業を簡易化できるという効果がある。
【０００９】
請求項２の発明は、ボックス状アルバムの底部において、金属部をボックス状アルバムの周縁部および／または中心部を十字にめぐらせることにより、磁石を側縁部に付設しているシートケースを、磁力によりボックス状アルバム内に固定して収納する際に、大きさや向きを選ばずに納めることができる。
【００１０】
請求項３の発明は、ボックス状アルバム底部の金属部と、該金属部に磁力により固定するために磁石を付設したシートケースの側縁部とに、凸部を適宜形成することにより互いに滑りにくくすることができる。
【００１１】
請求項４の発明は、ボックス状アルバム台紙を覆材で覆うことによって、ボックス状アルバム台紙をめくる際に、ボックス状アルバム台紙から、該台紙内に収納するシートケースが、外れてしまうことを防ぐ効果がある。
【発明を実施するための最良の形態】
【００１２】
本発明の実施形態を図面にて説明する。図１の（１）は、CD・DVD・写真等を入れるシートケースである。（２）は、ボックス状のアルバム台紙であり、図４のように、前記シートケース（１）を収納するための凹部（２ａ）がほぼ全面に形成されている。（２ｂ）は、アルバム台紙（２）に凹部（２ａ）を形成するための外周壁である。
【００１３】
前記シートケース（１）は、図３のように袋体を成し、本実施形態では、シートケース表面（１２）を透明な素材のプロピレンシートで、シートケース裏面（１１）を不織布で構成された袋状のシートケースである。なお、シートケース（１）の形態あるいは材質などは、ＣＤ・ＤＶＤ・写真等が収納可能であれば、特に限定されるものではない。（５）は、ＣＤ・ＤＶＤ・写真等の取り出し口であり、この取り出し口（５）には、収納したＣＤ・ＤＶＤ・写真等が容易に飛び出してしまわないように、シートケース表面（１２）の開口端が、内側に折り曲げられている。図２の（７）（８）はそれぞれシートケースに収納されるＣＤ・ＤＶＤまたは写真である。
【００１４】
（３）は、シートケース（１）の底部から延在する幅広の端縁部に適宜間隔で固着された略四角形の磁石である。この磁石は端縁部にそって配置された１本の短冊状の磁石でもよい。（４）は金属部で、アルバム台紙（２）の底面に配設され、図４乃至図６に示されるように外周壁（２ｂ）に沿ったアルバム台紙の周縁部、及び、または中心を十字型に配設するなど、適宜収納するシートケースの大きさにあわせて任意の位置に固定配置される。そして、ＣＤ・ＤＶＤ・写真等が入ったシートケース（１）をアルバム台紙（２）に収納するときは、シートケース（１）の端縁部に固着された磁石（３）をアルバム台紙（２）の底面に配設された金属部（４）により固着して収納する。このように、シートケース（１）を磁力により前記金属部（４）に固定することによって、ＣＤ・ＤＶＤ・写真等が入ったシートケース（１）を着脱自在に取り外すことができる。
【００１５】
なお、本実施形態では、磁石（３）とシートケース（１）の底部に配設された金属部（４）と、シートケース（１）の側縁部固着された磁石（３）に、凸状部（１３）を形成し、これら金属部（４）と磁石（３）とが重なりあい、相互にずれないように係合してもよい。
【００１６】
また、ボックス状アルバム台紙（２）をめくった際に、シートケース（１）が外れないように、前記アルバム台紙（２）を覆うように被覆材（６）を設けるとよい。この場合、図５のように、前記アルバム台紙の外周壁（２ｂ）の端面に金属枠（１５）を設けると共に、前記金属枠に対応する位置における前記被覆材（６）の端部に磁気テープ（１４）を貼着すると相互に磁着し、シートケース（１）がアルバム台紙から飛び出るのを防止することができる。なお、被覆材（６）の素材は、プロピレンシート、プラスティック、木、アルミなど限定されるものではない。
【００１７】
次に、図５乃至図７のようにボックス状アルバム台紙（２）に、シートケース（１）を複数枚重ねて収納することができる。この場合、各シートケース（１）の側縁部に各々固着された磁石（３）が前記金属部（４）に磁着し、あたかも前記側縁部が一体化しているように、金属部（４）に固定される。
【００１８】
また、各アルバム台紙（２）はアルバムの表紙（１０）と表紙（１０）の間に、数段に渡り、重ねることができる。この場合各アルバム台紙の端縁部に通し孔（２ｃ）を穿設し、この通し孔（２ｃ）に、アルバム表紙（１０）に付設されたとじ具のリング（９）を挿通すことにより、所望要領のアルバムを提供することができる。
【００１９】
なお、CD・DVD・写真等を収納するアルバムは、ボックス状アルバム台紙（２）を、表紙（１０）と表紙（１０）の間に、複数枚重ねて綴じるという形態に限定せず、図８のように、ボックス形状のCD・DVDアルバムとして、ボックス状アルバム台紙（２）単一枚によって構成される形態であってもよい。
【産業上の利用可能性】
【００２０】
アルバムに磁石を取り付けることで、必要とするＣＤ・ＤＶＤ・写真等だけをアルバムから直接取り外すことができ、保護された状態での持ち運びも可能となる。
【図面の簡単な説明】
【００２１】
【図１】本発明のＣＤ・ＤＶＤ・写真等を収納するアルバムにおける使用状態図。
【図２】本発明のＣＤ・ＤＶＤ・写真等を収納するアルバムにおける使用状態図。
【図３】本発明のＣＤ・ＤＶＤ・写真等を収納するアルバムにおけるシートケースの断面図および平面図。
【図４】本発明のＣＤ・ＤＶＤ・写真等を収納するアルバムにおけるボックス状アルバム台紙の平面図。
【図５】本発明のＣＤ・ＤＶＤ・写真等を収納するアルバムにおけるボックス状アルバム台紙の断面拡大図である。
【図６】本発明のＣＤ・ＤＶＤ・写真等を収納するアルバムの断面図である。
【図７】本発明のＣＤ・ＤＶＤ・写真等を収納するアルバムの断面図である。
【図８】本発明のＣＤ・ＤＶＤ・写真等を収納するアルバムの使用状態図である。
【符号の説明】
【００２２】
１    シートケース
２    ボックス状アルバム台紙 
２ａ  凹部
２ｂ  外周壁
２ｃ  通し孔
３    磁石
４    金属
５    取り出し口
６    覆材
７    ＣＤ・ＤＶＤ
８    写真
９    リング
１０  表紙
１１  シートケース裏面
１２  シートケース表面
１３  凸状部
１４  磁気テープ
１５  枠金属部
【図１】
2005297542.tif 000003
【図２】
2005297542.tif 000004
【図３】
2005297542.tif 000005
【図４】
2005297542.tif 000006
【図５】
2005297542.tif 000007
【図６】
2005297542.tif 000008
【図７】
2005297542.tif 000009
【図８】
2005297542.tif 000010